(57)【要約】【課題】居住空間全体にマイナスイオンを行き渡らせ得、もって居住するだけでマイナスイオンによる効果が得られるようにすることを課題とする。【解決手段】導電性金属箔１を防水性のあるプラスチックシート２で絶縁被覆し、導電性金属箔１に単一の接続端子４を絶縁被覆２外部と導通可能に設けてなる。【選択図】  図１
2005023618.tif 000002
【特許請求の範囲】
【請求項１】
導電性金属箔を防水性のあるプラスチックシートで絶縁被覆し、前記導電性金属箔に単一の接続端子を設けたことを特徴とするマイナスイオン発生用建築床シート。
【請求項２】
請求項１のマイナスイオン発生用建築床シートにおいて、金属箔がアルミ箔、単一の接続端子が銅箔とされ、該銅箔の外面には剥離可能にプラスチック製絶縁皮膜が設けられ、かつこの絶縁皮膜はプラスチックシートの絶縁被覆と一体に形成されてなるマイナスイオン発生用建築床シート。
【請求項３】
請求項１又は２のマイナスイオン発生用建築床シートにおいて、金属箔の裏面側に導電性カーボンを混入した紙が積層されてなるマイナスイオン発生用建築床シート。
【発明の詳細な説明】
【０００１】
【発明の属する技術分野】
この発明は、マイナスイオン発生用建築床シートに関し、マイナスイオンを発生させ得るマイナスイオン発生用建築床シートに関する。
【０００２】
【従来の技術】
従来、人体の健康維持及び増進、自律神経の調整などにマイナスイオンが有効に作用するとされ、このようなマイナスイオンを、単電極の導電性物質より発生させる身回品等が種々提案され、また実施されている。（特許文献１）
【０００３】
【特許文献１】
特開２００２−３５５３１９号公報
【０００４】
【発明が解決しようとする課題】
しかしながら、上記により発生するマイナスイオンの効果は人体に対して身回品周囲の局部的な範囲にしか効果は期待できず、室内周囲全体の広範囲にわたって効果を及ぼすことが出来ない。このように室内全体に広くマイナスイオンを発生させるためには、金属板を床のフローリング部分と床との間に敷設し、単電極を接続すればよい。
【０００５】
しかし、金属板を床面に敷設するのは非常に手間がかかるのと、家庭用の床には水を溢すこともあり、単電極とはいえ漏電のおそれがある。
この発明は、上記問題を解消し、居住空間全体にマイナスイオンを行き渡らせ得、もって居住するだけでマイナスイオンによる効果が得られるようにするために、床面に簡単に敷設できしかも安全なマイナスイオンを発生させるマイナスイオン発生用建築床シートを提供することを目的となされたものである。
【０００６】
【課題を解決するための手段】
請求項１の発明は、導電性金属箔を防水性のあるプラスチックシートで絶縁被覆し、前記導電性金属箔に単一の接続端子を設けたことを特徴とする。
【０００７】
マイナスイオン発生用建築床シートに単一の接続端子から電圧を印加すると、当該シートに電場が発生し、これによりシートからマイナスイオンが発生すると考えられる。従って、これを床基面に敷き詰め、その上に建築用床パネルを敷設すれば、コンセントからの通電により室内全体にマイナスイオンが供給されるのである。敷設の方法は、床基面にマイナスイオン発生用建築床シートを並べるだけですみ、しかも導電性金属箔をプラスチックシートで絶縁被覆しているので、漏電のおそれもない。
【０００８】
請求項２の発明は、請求項１のマイナスイオン発生用建築床シートにおいて、金属箔がアルミ箔、単一の接続端子が銅箔とされ、該銅箔の外面には剥離可能にプラスチック製絶縁皮膜が設けられ、かつこの絶縁皮膜はプラスチックシートの絶縁被覆と一体に形成されてなるものである。
【０００９】
導電性金属であれば、アルミ箔であっても電場は発生し、また、端子は銅箔とされているのでアルミ箔に対する導電性は良い。
また、電場を発生させる金属板部分は、アルミ箔とされているので、全体が安価に製造でき、床面前面に大量に敷設してもそれほど高価にはならない。
【００１０】
請求項３の発明は、請求項１又は２のマイナスイオン発生用建築床シートにおいて、金属箔の裏面側に導電性カーボンを混入した紙が積層されてなるものである。
【００１１】
導電性カーボンを混入した紙とアルミ箔との共同によって、電場発生効果が相乗され、マイナスイオンの発生の効果が、積層しない場合よりも増すと考えられる。
【００１２】
【発明の実施の形態】
次に、この発明の実施の形態であるマイナスイオン発生用建築床シートについて説明する。
実施の形態１
図１はマイナスイオン発生用建築床シートの要部破断平面図、図２は図１の要部拡大断面図、図３はマイナスイオン発生用建築床シートの分解斜視図である。
【００１３】
図１において、１は導電性金属箔を示し、導電性の高いアルミ箔からできている。もちろん、この導電性金属箔１はアルミ箔以外に銅箔、ステンレス製の薄板等であってもよい。また、上記導電性金属箔１の厚さは外部から加えられる圧縮力などによって容易に破断されない程度の薄いものが望ましい。
【００１４】
そして、この導電性金属箔１の一端側の側部に、薄い長方形状の金属板からなる単一の接続端子４が接続し、電気的に前記導電性金属箔１と導通している。この接続端子４の金属箔１と接続する側の端部は導電性の当て板５により押さえられており、導電性金属箔１と接続端子４の接続を強固にし、接続端子４が容易に剥離しないように補強されている。接続端子４となる金属板の厚さも同様に薄いものを使用することが望ましい。後述するように床基面とマイナスイオン発生用建築床シートの間に介挿敷設されるため、薄くすることが望ましいからである。なお、この接続端子４や当て板５は薄い銅板を用いている。
【００１５】
この導電性金属箔１は、表裏面がプラスチックシート２、２でラミネートされており、このプラスチックシートの外周縁部の導電性金属箔１からはみ出た部分３、３が超音波や熱等により溶着され、このことにより導電性金属箔１を絶縁・防水するように被覆している。このプラスチックシートはポリエチレンやポリプロピレンのシートを用いており、耐久性のあるプラスチックシートであればその材質は問わない。
【００１６】
またこの接続端子４の表裏にもプラスチックシート又はプラスチックフィルムなどの絶縁層６、６（図２、図３）でラミネートしている。この絶縁層６も前記のプラスチックシート２、２と同様な材質、厚みのものを用いる。
【００１７】
なお、接続端子４を絶縁層６、６でラミネートした構成としたが、この絶縁層６，６は施工のためにいずれかの面に粘着層を設けて表裏面を粘着する構成にしてもよい。
【００１８】
なお、図２では、説明のためシートの厚みを厚く強調して示したもので、実際の厚みを示すものではない。図３も同様である。
また、上記マイナスイオン発生用建築床シートの大きさは任意ではあるが、建築物の床材一般のモジュールにあわせた大きさとすることが望ましく、例えば、図１において幅Ｂが３０ｃｍ、長さＬが１２０ｃｍあるいは１５０ｃｍ〜１８０ｃｍなどとされる。
【００１９】
次にこのマイナスイオン発生用建築床シートの敷設方法を説明する。
図４は敷設状態を示す一部省略平面図、図５は同じく要部破断斜視図である。
マイナスイオン発生用建築床シートを敷設する前に、まず、床基面８の所定の位置に導電板１０を所定間隔を開けて複数本並行に張り付ける。導電板１０の間隔はマイナスイオン発生用建築床シートの長さに応じて設定する。
【００２０】
この導電板１０は図示していないが、プラスチックシートで表裏面が完全にラミネートされている。このプラスチックシートでラミネートされた導電板１０を床の所定に方向に沿わせて敷設する。敷設の方法はプラスチックシートの裏面に合成樹脂を塗布して床基面８に貼り付けてもよいし、導電板１０に触れないように、プラスチックシートを釘等で床基面８に固定してもよい。
【００２１】
この導電板１０は銅箔を用いており、平行に配置された複数本の導電板１０は図示していないが端部が接続して全部が電気的に導通している。そして、コンセントの単電極のみがこの導電板１０に接続されている。
【００２２】
そして、導電板１０を敷設した後、床基面８に、一定のモジュールに従ってマイナスイオン発生用建築床シート１１…が配設される。その配設する際に接続端子４が導電板１０と交叉するようにする。そして、接続端子４と導電板１０とが交叉する部分の絶縁層６と、導電板１０をラミネートしているプラスチックシートを剥がして接続端子４と導電板１０とを接触させ、電気的に接続する。好ましくは接続端子４と導電板１０とを「はんだ」などにより接合する。マイナスイオン発生用建築床シート１１はズレたりしないように接着剤や釘等で床基面８に固定する。
【００２３】
そして、床基面一面あるいは必要な広さにマイナスイオン発生用建築床シート１１…を敷き詰めた後、その上に床パネルや畳等のフローリング９を敷設し、室内の床面を完成させる。
【００２４】
なお、マイナスイオン発生用建築床シート１１は建築物一般のモジュールに従って形成されているので、例えばフローリング９を敷設し、釘止めするような場合でもモジュールに従った位置さえ守っていれば、導電性金属箔１を打ち抜いてしまうことはない。
【００２５】
使用に際しては、コンセントを家庭用の１００Ｖの電源に接続する。コンセントの単電極のみを電源に接続すると、導電板１０を介して導電性金属箔１に電場が発生する。この電場の働きによってシートからマイナスのイオンが発生すると考えられる。
【００２６】
以上のような構成により、きわめて簡単な構成でマイナスイオンの発生可能なマイナスイオン発生用建築床シートを敷設でき、しかも漏水の際にもプラスチックシートによりラミネートされているので、漏電等のおそれがなく安全性が高くなる。
実施の形態２
図６は実施の形態２のマイナスイオン発生用建築床シートの分解斜視図、図７は要部拡大断面図である。
【００２７】
この実施の形態２のマイナスイオン発生用建築床シート１１は、導電性金属箔１に導電性カーボンを混入した紙１２が積層されている。
なお、その他の点は実施の形態１のマイナスイオン発生用建築床シートと同じであるので、同一部分は同一符号を付して詳細な説明は省略する。
【００２８】
紙１２は、和紙、洋紙のいずれでも良いが、湿気に強く、薄くても強靭なものが望ましい。また、導電性カーボンとしては、炭などを微粉砕した粉末を紙１３の繊維間に分散させたものが使用される。
【００２９】
この場合、導電性カーボンによって、マイナスイオンの発生効果が増加すると考えられる。
【００３０】
【発明の効果】
以上説明したように、この発明のマイナスイオン発生用建築床シートを、建築物の部屋の床基面に敷設し、単一の電極に通電後、床パネルを敷設するだけで室内空間を好ましい環境の空間とすることができ、居室内に居ながらにして健康の維持増進が図れるのである。しかも、マイナスイオン発生用建築床シートを敷設する際も施工が極めて簡単であり、しかも漏電のおそれも無く安全なマイナスイオン発生用建築床シートを提供できる。
【図面の簡単な説明】
【図１】実施の形態１のマイナスイオン発生用建築床シートの要部破断平面図である。
【図２】図１のＸ−Ｘ線要部拡大断面図である。
【図３】実施の形態１のマイナスイオン発生用建築床シートの分解斜視図である。
【図４】実施の形態１のマイナスイオン発生用建築床シートの敷設状態を示す平面図である。
【図５】実施の形態２のマイナスイオン発生用建築床シートの敷設状態を示す要部破断斜視図である。
【図６】実施の形態２のマイナスイオン発生用建築床シートの分解斜視図である。
【図７】実施の形態２のマイナスイオン発生用建築床シートの要部拡大断面図である。
【符号の説明】
１      導電性金属箔
２      プラスチックシート
３      プラスチックシートの導電性金属箔からはみ出た部分
４      単一の接続端子
５      導電性当て板
６      絶縁層
８      建物の床基面
９      フローリング
１１      マイナスイオン発生用建築床シート
１２      導電性カーボンを混入した紙
【図１】
2005023618.tif 000003
【図２】
2005023618.tif 000004
【図３】
2005023618.tif 000005
【図４】
2005023618.tif 000006
【図５】
2005023618.tif 000007
【図６】
2005023618.tif 000008
【図７】
2005023618.tif 000009